(57)【要約】【課題】全ての育苗ポットに万遍なく灌水するとともに、病原菌の拡散を防止できる流水育苗ポット台を提供する。【解決手段】  上面が傾斜した基台１の斜面に育苗ポットの収容凹所２を高位側と低位側に２箇所づつ計４箇所形成し、基台１の頂部に給水ホースを配置するホース用凹所３を形成し、ホース用凹所３の底部に給水ホースの切込みから吐水した水を貯水する貯水凹所４を形成し、貯水凹所４から飽和した水を各収容凹所２へ傾斜により流して給水する独立した水路５をその終端が収容凹所２に収容した育苗ポットより高い位置に配置されるように基台１の斜面に沿って形成する。【選択図】  図１
2008054612.tif 000002
【特許請求の範囲】
【請求項１】
基台の上面に育苗ポットの収容凹所を育苗ポットの高さより高い深さに複数形成し、基台の上面に水を貯水する貯水凹所を形成し、貯水凹所と各収容凹所との間に収容凹所側が低くなる独立した水路をその終端が収容した育苗ポットの上端より高い位置に配置されるようにそれぞれ形成した、流水育苗ポット台。
【請求項２】
基台の上面を傾斜させ、その斜面に収容凹所を鉛直方向に且つ貯水凹所より低い位置に形成し、水路を基台の斜面に沿って形成した、請求項１記載の流水育苗ポット台。
【請求項３】
基台に収容凹所へ水を給水する給水ホースを配置するホース用凹所を形成し、ホース用凹所の底面に貯水凹所を形成した、請求項１又は２記載の流水育苗ポット台。
【請求項４】
貯水凹所と水路とを繋ぐ溢水口の底面高さをそれぞれ同じ高さに形成し、水を均一に給水できるようにした、請求項１〜３いずれか記載の流水育苗ポット台。
【請求項５】
基台と収容凹所と貯水凹所を一枚の薄いプラスチックシートで一体的に成形した、請求項１〜４いずれか記載の流水育苗ポット台。
【請求項６】
請求項１〜５いずれか記載の流水育苗ポット台を複数列設し、長尺の給水ホースを各流水育苗ポット台の貯水凹所に配置し、給水ホースの貯水凹所の位置に水を吐水させる切込みを形成した、育苗設備。
【発明の詳細な説明】
【技術分野】
【０００１】
本発明は、育苗ポットを複数収容して灌水するための流水育苗ポット台に関する。
【背景技術】
【０００２】
従来、育苗ポットの苗に灌水する際は、育苗ポットをトレーに複数収容してスプリンクラーで散水していた（例えば非特許文献１参照）。しかし、この方法では、スプリンクラーの水が全ての育苗ポットに万遍なく行き渡りにくく、水の当たりが悪い箇所の苗は生育不良になることがあった。また、水が苗や用土で跳ね返り、隣接する苗に病原菌が移ってしまう問題もあった。
【非特許文献１】”ようこそＳＵＮＨＯＰＥへサンホープのホームページかん水資材の専門商社”、［online］、株式会社サンホープ、［平成１８年８月２２日検索］、インターネット＜URL:http://www.sunhope.com/jp/main.html＞
【発明の開示】
【発明が解決しようとする課題】
【０００３】
本発明が解決しようとする課題は、従来のこれらの問題点を解消し、全ての育苗ポットに万遍なく灌水するとともに、病原菌の拡散を防止できる流水育苗ポット台を提供することにある。
【課題を解決するための手段】
【０００４】
かかる課題を解決した本発明の構成は、
１）  基台の上面に育苗ポットの収容凹所を育苗ポットの高さより高い深さに複数形成し、基台の上面に水を貯水する貯水凹所を形成し、貯水凹所と各収容凹所との間に収容凹所側が低くなる独立した水路をその終端が収容した育苗ポットの上端より高い位置に配置されるようにそれぞれ形成した、流水育苗ポット台
２）  基台の上面を傾斜させ、その斜面に収容凹所を鉛直方向に且つ貯水凹所より低い位置に形成し、水路を基台の斜面に沿って形成した、前記１）記載の流水育苗ポット台
３）  基台に収容凹所へ水を給水する給水ホースを配置するホース用凹所を形成し、ホース用凹所の底面に貯水凹所を形成した、前記１）又は２）記載の流水育苗ポット台
４）  貯水凹所と水路とを繋ぐ溢水口の底面高さをそれぞれ同じ高さに形成し、水を均一に給水できるようにした、前記１）〜３）いずれか記載の流水育苗ポット台
５）  基台と収容凹所と貯水凹所を一枚の薄いプラスチックシートで一体的に成形した、前記１）〜４）いずれか記載の流水育苗ポット台
６）  前記１）〜５）いずれか記載の流水育苗ポット台を複数列設し、長尺の給水ホースを各流水育苗ポット台の貯水凹所に配置し、給水ホースの貯水凹所の位置に水を吐水させる切込みを形成した、育苗設備
にある。
【発明の効果】
【０００５】
本発明によれば、各育苗ポットに独立した水路で水を個別に給水するから、万遍なく給水されて一部の苗の生育不良を低減でき、しかも水は水路に沿って静かに流れて給水されるから、苗や用土で跳ね返ることがなく病原菌が移ることがない。
【発明を実施するための最良の形態】
【０００６】
本発明の基台としては、上面に斜面を形成したもの又は平面状で使用時に傾斜させるものなど様々な形状のものを用いることができるが、使用時に水路の収容凹所側が低くなって水が流下できるものであればどのような形状でもよい。基台には給水ホースを配置するホース用凹所を形成し、ホース用凹所の底面に貯水凹所を形成したものが、給水ホースを定位置に配置しやすく使い勝手に優れる。基台と収容凹所と貯水凹所は一枚の薄いプラスチックシートで一体的に成形したものが、軽量で運搬性に優れ、低コストで実施できるが、その他発泡合成樹脂等を使用してもよい。また、基台の上面には布や連続気泡を有するゴムマット等の吸水性シートを付着させると、散水による給水又は雨水を受けても、水の上面での反射（飛び散り）を低減して病原菌の拡大を防止できる。以下、本発明の実施例を図面に基づいて具体的に説明する。
【実施例１】
【０００７】
図１〜５に示す実施例は、本発明の流水育苗ポット台を複数列設した育苗設備の例である。図１は実施例の流水育苗ポット台の斜視図、図２は図１のＡ−Ａ断面図、図３は実施例の流水育苗ポット台の使用状態を示す斜視図、図４は実施例の流水育苗ポット台の使用状態を示す平面図、図５は実施例の流水育苗ポット台の使用状態を示す縦断面図である。
【０００８】
図中、１は基台、２は収容凹所、２ａは通水穴、３はホース用凹所、４は貯水凹所、４ａは溢水口、５は水路、６は育苗ポット、７は用土、８は苗、９は給水ホース、９ａは切込み、１０は支持体、Ａは流水育苗ポット台、Ｗは水である。
【０００９】
本実施例の流水育苗ポット台Ａは、図１，２に示すように上面が傾斜した基台１の斜面に育苗ポット６の収容凹所２を高位側と低位側に２箇所づつ計４箇所形成し、基台１の頂部に給水ホース９を配置するホース用凹所３を形成し、ホース用凹所３の底面に給水ホース９から吐水した水Ｗを貯水する貯水凹所４を形成し、貯水凹所４と各収容凹所２との間に収容凹所２側が低くなる独立した水路５をその終端が収容凹所２に収容した育苗ポット６より高い位置に配置されるようにそれぞれ形成している。貯水凹所４と各水路５とを繋ぐ溢水口４ａの底面高さはそれぞれ同じ高さに形成し、均一の量の水Ｗを各水路５に給水できるようにしている。
【００１０】
基台１は薄いプラスチックシートで一体的に成形され、基台１の上面の傾斜角度と水路５の傾斜角度は１０°である。収容凹所２の深さは９０ｍｍである。ホース用凹所３の幅は５０ｍｍ、深さは１０ｍｍである。貯水凹所４の幅は３０ｍｍ、深さはホース用凹所３の底面より２０ｍｍである。水路５の幅は２０ｍｍ、深さは１８ｍｍである。育苗ポット６は高さ７５ｍｍである。給水ホース９は十字状の切込み９ａを複数形成し、水圧で開いて吐水できるようにしている。
【００１１】
図３に示すように、支持体１０で列設した複数の流水育苗ポット台Ａの収容凹所２に苗８を植え付けた育苗ポット６をそれぞれ収容し、ホース用凹所３に１本の長尺の給水ホース９をその切込み９ａが貯水凹所４に向くように直線状に配置し、給水ホース９を図示しない蛇口に接続して給水する。
【００１２】
図４，５に示すように、給水ホース９の切込み９ａが水圧で開いて水Ｗが吐水され、貯水凹所４に一旦貯水される。その後、貯水凹所４の各溢水口４ａから溢水した同じ量の水Ｗが基台１の傾斜により水路５を通じて各収容凹所２へ個別に流れ、水Ｗが水路５の終端から育苗ポット６の用土７に静かに給水される。育苗ポット６の底部から流れ出た余剰の水Ｗは通水穴２ａから排水される。
【００１３】
給水量はイチゴの場合、１つの育苗ポット６につき２００ｃｃ／回で、およそ５００ｃｃ／日の量を灌水する。このように、本実施例によれば、各育苗ポット６に独立した水路５で水Ｗを個別に給水するから、万遍なく給水されて一部の苗８の生育不良を低減でき、しかも水Ｗは水路５に沿って静かに流れて給水されるから、苗８や用土７で跳ね返ることがなく病原菌が移ることがない。
【００１４】
図６，７に示すのは、実施例の流水育苗ポット台の他の例である。図６は実施例の他の例の流水育苗ポット台の平面図、図７は実施例の他の例の流水育苗ポット台の側面図である。図６，７に示す実施例の他の例は、基台１を断面略山形にして斜面をホース用凹所３に対して対向させて形成し、各斜面に収容凹所２を４箇所づつ計８箇所形成している。この例は、実施例と比較して１本の給水ホース９でより多くの育苗ポット６へ同時に給水できるようにしている。その他、符号、構成、作用効果は実施例と同じである。
【産業上の利用可能性】
【００１５】
本発明の流水育苗ポット台は、イチゴの他、育苗ポットで栽培する様々な農作物や果物の灌水に幅広く利用できる。
【図面の簡単な説明】
【００１６】
【図１】実施例の流水育苗ポット台の斜視図である。
【図２】図２は図１のＡ−Ａ断面図である。
【図３】実施例の流水育苗ポット台の使用状態を示す斜視図である。
【図４】実施例の流水育苗ポット台の使用状態を示す平面図である。
【図５】実施例の流水育苗ポット台の使用状態を示す縦断面図である。
【図６】実施例の他の例の流水育苗ポット台の平面図である。
【図７】実施例の他の例の流水育苗ポット台の側面図である。
【符号の説明】
【００１７】
１  基台
２  収容凹所
２ａ  通水穴
３  ホース用凹所
４  貯水凹所
４ａ  溢水口
５  水路
６  育苗ポット
７  用土
８  苗
９  給水ホース
９ａ  切込み
１０  支持体
Ａ  流水育苗ポット台
Ｗ  水
【図１】
2008054612.tif 000003
【図２】
2008054612.tif 000004
【図３】
2008054612.tif 000005
【図４】
2008054612.tif 000006
【図５】
2008054612.tif 000007
【図６】
2008054612.tif 000008
【図７】
2008054612.tif 000009